(57)【要約】【課題】複数の被写体にピントが合った幅広い画像の表現が可能な静止画撮像装置を提供する。【解決手段】撮像装置から被写体までの距離情報を取得できる静止画撮像装置であって、撮像画像を取得する撮像部と、撮像装置から被写体までの距離を算出する距離推定部と、画像を表示する表示部と、ユーザーが被写体を複数選択する入力部と、前記距離推定部で取得した距離情報と前記入力部でユーザーが入力した被写体の位置情報から画像処理対象領域を算出する算出部と、前記算出部で算出した領域に所定の画像処理を施す画像処理部を具備する。【選択図】図１
2013123202.tif 000002
【特許請求の範囲】
【請求項１】
撮像装置から被写体までの距離情報を取得できる静止画撮像装置であって、
撮像画像を取得する撮像部と、
撮像装置から被写体までの距離を算出する距離推定部と、
画像を表示する表示部と、
ユーザーが被写体を複数選択する入力部と、
前記距離推定部で取得した距離情報と前記入力部でユーザーが入力した被写体の位置情報から画像処理対象領域を算出する算出部と、
前記算出部で算出した領域に所定の画像処理を施す画像処理部を具備する静止画撮像装置
【請求項２】
請求項１の静止画撮像装置であって、
前記算出部において、前記距離情報と前記入力部でユーザーが選択した被写体の位置情報から、ユーザーが選択した被写体毎の撮像装置からの距離を割り出し、前記ユーザーが選択した被写体がすべて含まれる距離範囲を算出し、その距離範囲に含まれない被写体を画像処理対象領域とすることを特徴とする静止画撮像装置。
【請求項３】
請求項１の静止画撮像装置であって、
前記所定の画像処理をぼかし処理とすることを特徴とする静止画撮像装置。
【請求項４】
請求項１の静止画撮像装置であって、
前記入力部でユーザーが指定した人物の顔とその周囲にある顔を検出し、その位置情報を取得する顔検出部を具備し、
ユーザーが指定した人物の顔とその周囲にある顔がすべて含まれる距離範囲を算出し、その距離範囲に含まれない被写体を画像処理対象領域とすることを特徴とする静止画撮像装置。
【発明の詳細な説明】
【技術分野】
【０００１】
本発明は、特定の画像処理を施すことによって画像の表現に幅を持たせる静止画撮像装置に関する。
【背景技術】
【０００２】
近年、コンパクトデジタルカメラや携帯電話のカメラが広く普及している。このようなコンパクトデジタルカメラは、小型の撮像素子を採用しているため、レンズが小さく、焦点距離が短くなる。レンズが小さくなることによりF値が大きく、さらに焦点距離が短いことにより被写界深度は深くなる。それによりコンパクトデジタルカメラや携帯電話のカメラは近景から遠景まですべてピントが合って見えるパンフォーカスの撮影が可能となる。
【０００３】
しかしながら被写界深度を浅くすることができないため、ピントがあっていない部分をぼかすようにして主要な被写体を浮き上がらせるように撮影することができない。よって撮影する画像の表現に幅をもたせることが難しい。
【０００４】
そこで、上記課題を解決するため、下記特許文献１には、一般的な構造を持つコンパクトデジタルカメラに特殊はハードウェアを追加することなく、撮影領域内の各被写体から撮像装置までの距離の差に応じて撮影した画像を加工してぼけ量を調整することで、幅広い画像の表現ができる静止画撮像装置が開示されている。
【先行技術文献】
【特許文献】
【０００５】
【特許文献１】特開2008-263386号公報
【発明の概要】
【発明が解決しようとする課題】
【０００６】
しかしながら、特許文献１ではユーザーが特定した１つの被写体のみピントを合わせ、その被写体からの距離の差に応じてぼかし処理を施すため、異なる距離に存在する複数の被写体に対してピントを合わせ、撮像装置からそれら複数の被写体を含まない領域にぼかし処理をほどこすことができない。
また、ユーザーが特定した被写体が人物で、同行していた人物が特定された人物と異なる距離に位置していた場合、特定した人物以外がぼけてしまい、同行していた人物が誰だかわからなくなってしまうという課題がある。
【０００７】
本発明は、前記従来の課題を解決するもので、ユーザーが選択した異なる距離に存在する複数の被写体がすべて含まれる距離範囲を算出して、その距離範囲外に対してぼかし処理を施すことで複数の被写体にピントが合った幅広い画像の表現が可能な静止画撮像装置を提供することを目的とする。
また、特定された被写体が人物であった場合、特定された人物だけでなく同行していた人物もぼかさず、それ以外の領域をぼかすことにより、特定された人物だけでなく、同行していた人物も含めて際立たせることができる静止画撮像装置を提供することを目的とする。
【課題を解決するための手段】
【０００８】
前記従来の課題を解決するため、本発明の第一の静止画撮像装置は、距離情報を取得できる撮像装置であって、画像を表示する表示部と、ユーザーが画面位置を複数入力する入力部と、ユーザーが入力した複数位置を含む距離の範囲を算出する算出部と、算出部で算出した距離の範囲外の領域に所定の画像処理を施す画像処理部を備える。
また、本発明の第三の静止画装置は、本発明の第一の静止画装置に加え、前記画面位置の入力部により特定された人物の顔とその周囲にある顔を検出し、各顔の位置情報を算出する顔検出部を備える。
【発明の効果】
【０００９】
本発明の第一の静止画撮像装置によれば、距離情報を取得できるコンパクトデジタルカメラで、ユーザーが選択した異なる距離に存在する複数の被写体にピントが合い、その前後がぼけた静止画撮影が可能となる。
また、本発明の第三の静止画撮像装置によれば、ユーザーが指定した人物だけでなく、一緒にいた人物もぼかさず、それ以外の領域をぼかすことができ、特定された人物だけでなく、一緒にいた人物も含めて際立させた静止画撮影が可能となる。
【図面の簡単な説明】
【００１０】
【図１】本発明の実施の形態１における静止画撮像装置のブロック図
【図２】実施の形態１の動作フローチャート
【図３】実施の形態１の画像処理対象領域についての説明図
【図４】実施の形態１をコンピュータシステムにより実現するためのプログラムを格納するための記録媒体についての説明図
【図５】本発明の実施の形態３における静止画撮像装置のブロック図
【図６】実施の形態３の動作フローチャート
【図７】実施の形態３の画像処理対象領域についての説明図
【発明を実施するための形態】
【００１１】
以下、本発明の実施の形態について図面を参照して詳細に説明する。
【００１２】
（実施の形態１）
図１は本発明の実施の形態１における静止画撮像装置100のブロック図である。
静止画撮像装置100は、図１に示すように撮像部101、表示部102、距離推定部103、画像位置入力部104、算出部105、画像処理部106、記録部107を備えている、
撮像部101は、撮像画像を取得する。
【００１３】
表示部102は、撮像部101で取得した画像、もしくは画像処理部106で画像処理を施した画像を表示する。
【００１４】
距離推定部103は、撮像部101で取得した画像から画素毎の撮像装置100からの距離情報を取得する。距離の推定方法としては、撮像部が2眼カメラの場合は、左側画像と右側画像の被写体の左右のずれを元に被写体からの距離を算出する。また特許文献１のように撮像領域を複数に分け、フォーカス距離を最短距離から無限遠まで変化させた際のコントラストの最大になったフォーカス距離を取得することで、各領域内の被写体までの距離を測定しても良い。
【００１５】
画像位置入力部104は、ユーザーがピントを合わせたい被写体の位置を入力し、その位置情報を取得する。
【００１６】
算出部105は、距離推定部103で取得した距離情報と、画像位置入力部104で取得したユーザーが指定した被写体の位置情報から、ユーザーが指定した被写体毎の撮像装置からの距離を割り出し、ユーザーが選択した被写体がすべて含まれる距離範囲を算出し、その距離範囲に含まれない被写体を画像処理対象領域とする。
【００１７】
画像処理部106は、算出部105が算出した画像処理対象領域情報における処理対象領域に対して、非対象領域からの距離の差分に応じてぼかしを付加する。
【００１８】
記録部107は、画像処理部106でぼかし処理を施した画像を記録媒体に記録する。
【００１９】
図２は実施の形態１における動作のフローを示す。まず撮像部101で撮影画像を取得し（Ｓ１）、撮影した画像を表示部102で表示する（Ｓ２）。撮影した画像の画素毎の撮像装置からの距離を推定する（Ｓ３）。表示部102で表示されている画像に対してユーザーは画像位置入力部104でピントを合わせたい位置を複数入力する（Ｓ４）。算出部105は距離推定部103で取得した距離情報と、画像位置入力部104で取得した位置情報から、ユーザーが指定した位置毎の撮像装置からの距離を割り出し、ユーザーが指定した位置すべてが含まれる距離範囲を算出し、その距離範囲に含まれない被写体を画像処理対象領域とする（Ｓ５）。画像処理部106で画像処理対象領域における処理対象領域に対して、非対象領域からの距離の差分に応じてぼかしを付加する（Ｓ６）。そして画像処理部106でぼかし処理を付加した画像を表示部102で表示し（Ｓ７）、記録部107で記録媒体に記録する（Ｓ８）。
【００２０】
図３に示すような被写体が存在し、撮像装置から被写体Aの距離Xa、撮像装置から被写体Bの距離Xb、撮像装置から被写体Cの距離Xc、撮像装置から被写体Dの距離Xdとしたとき、距離の関係はXa＜Xd＜Xb＜Xcとする。本実施の形態によると、ユーザーが図３の被写体を撮影し、画像位置入力部104で被写体Aと被写体Bを選択した場合、距離Xa〜Xbの範囲外に対して、その範囲と撮像装置からの距離の差分に応じてぼかしが付加されることになる。よって被写体Dは撮像装置からの距離について被写体Aと被写体Bの間に存在するため、被写体Dについてはぼかしが付加されることはない。またユーザーが画像位置入力部104で被写体Bと被写体Cと被写体Dを選択すると、距離Xd〜Xcの範囲外について、その範囲と撮像装置からの距離の差分に応じてぼかしが付加されることになり、被写体Aはぼかしが付加される。なおユーザーは被写体を複数でなくひとつを選択しても良く、その場合は撮像装置からの距離がユーザーが選択した被写体と同等の被写体については、ぼかしが付加されず、それ以外についてはユーザーが選択した被写体との撮像装置からの距離の差分に応じてぼかしが付加される。
【００２１】
（実施の形態２）
さらに、上記各実施の形態で示した静止画撮影方法を実現するためのプログラムを、フレキシブルディスク等の記録媒体に記録するようにすることにより、上記各実施の形態で示した処理を、独立したコンピュータシステムにおいて簡単に実施することが可能となる。
【００２２】
図４は、上記各実施の形態の静止画撮影方法を、フレキシブルディスク等の記録媒体に記録されたプログラムを用いて、コンピュータシステムにより実施する場合の説明図である。
【００２３】
図４(b)は、フレキシブルディスクの正面からみた外観、断面構造、及びフレキシブルディスクを示し、図４(a)は、記録媒体本体であるフレキシブルディスクの物理フォーマットの例を示している。フレキシブルディスクＦＤはケースＦ内に内蔵され、該ディスクの表面には、同心円状に外周からは内周に向かって複数のトラックＴｒが形成され、各トラックは角度方向に１６のセクタＳｅに分割されている。従って、上記プログラムを格納したフレキシブルディスクでは、上記フレキシブルディスクＦＤ上に割り当てられた領域に、上記プログラムが記録されている。
【００２４】
また、図４(c)は、フレキシブルディスクＦＤに上記プログラムの記録再生を行うための構成を示す。静止画撮影方法を実現する上記プログラムをフレキシブルディスクＦＤに記録する場合は、コンピュータシステムＣｓから上記プログラムをフレキシブルディスクドライブを介して書き込む。また、フレキシブルディスク内のプログラムにより上記静止画撮影方法をコンピュータシステム中に構築する場合は、フレキシブルディスクドライブによりプログラムをフレキシブルディスクから読み出し、コンピュータシステムに転送する。
なお、上記説明では、記録媒体としてフレキシブルディスクを用いて説明を行ったが、光ディスクを用いても同様に行うことができる。また、記録媒体はこれに限らず、ＩＣカード、ＲＯＭカセット等、プログラムを記録できるものであれば同様に実施することができる。
【００２５】
なお、上記各実施の形態で示した静止画撮影方法を実現するための処理を集積回路であるＬＳＩとして実現してもよい。これらは一部または全てを含むように１チップ化されてもよい。
【００２６】
ここではＬＳＩとしたが、集積度の違いにより、ＩＣ、システムＬＳＩ、スーパーＬＳＩ、ウルトラＬＳＩと称されることもある。
【００２７】
また、集積回路化の手法はＬＳＩに限るものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
さらには、半導体技術の進歩または派生する別技術によりＬＳＩなどに置き換わる集積回路の技術が登場すれば、当然、その技術を用いて機能ブロックの集積化を行ってもよい。
【００２８】
（実施の形態３）
図５は本発明の実施の形態３における静止画撮像装置110のブロック図である。
静止画撮像装置110は静止画撮像装置100に対して顔検出部108を加えたものである。顔検出部108は画像位置入力部104にて取得した特定人物の位置情報と撮像部101で取得した画像情報を元に、特定人物の顔とその周囲にある、特定人物に同行している人物の顔を検出し、それらの顔位置情報を取得する。
算出部105は、距離推定部103で取得した距離情報と、顔検出部108で取得した顔の位置情報から特定人物と特定人物に同行している人物の顔が全て含まれる距離範囲を算出し、その距離範囲に含まれない被写体をぼかし画像処理対象領域とするものである。
図６は実施の形態３における動作のフローを示す。（Ｓ１）から（Ｓ３）及び（Ｓ６）から（Ｓ８）は実施の形態１と同様である。表示部102で表示されている画像に対してユーザーは画像位置入力部104でピントを合わせたい人物を特定して指定する（Ｓ４１）。顔検出部は特定された人物の顔と特定人物の周囲にある顔の位置情報を取得する（Ｓ４２）。算出部105は距離推定部103で取得した距離情報と、顔検出部108で取得した特定人物の顔と特定人物の周囲にある顔が全て含まれる距離範囲を算出し、その距離範囲に含まれない被写体をぼかし画像処理対象領域とする（Ｓ５１）。
図７に示すような被写体が存在し、撮像装置から被写体Aの顔までの距離をXa、撮像装置から被写体Bの顔までの距離をXb、撮像装置から被写体Cの顔までの距離をXc、撮像装置から被写体Dまでの距離をXdとしたとき、それぞれの距離の関係はXa＜Xb＜Xc＜Xdとする。本発明の実施の形態２によると、ユーザーが図７の被写体を撮影し、画像位置入力部104で主要人物として被写体Aを指定した場合、被写体Aの顔を検出し、同行者として被写体Aの顔の周辺にある被写体Bと被写体Cの顔を検出する。そして被写体A、被写体B、被写体Cの顔までの距離を全て含む、すなわちXa〜Xcの範囲外について撮像装置からの距離の差分に応じてぼかしが付加されることになる。主要人物として被写体Aを選択すれば、その同行者である被写体B、被写体Cもぼかされることはない。一方、被写体DはXa〜Xcの範囲外に存在するため、ユーザーが指定した被写体との撮像装置からの距離の差分に応じてぼかしが付加される。
【産業上の利用可能性】
【００２９】
本発明にかかる静止画撮像装置はデジタルカメラ、カメラ付き携帯端末等で有用である。
【符号の説明】
【００３０】
１０１    撮像部
１０２    表示部
１０３    距離推定部
１０４    画像位置入力部
１０５    算出部
１０６    画像処理部
１０７    記録部
１０８    顔検出部
【図１】
2013123202.tif 000003
【図２】
2013123202.tif 000004
【図３】
2013123202.tif 000005
【図４】
2013123202.tif 000006
【図５】
2013123202.tif 000007
【図６】
2013123202.tif 000008
【図７】
2013123202.tif 000009